(57)【特許請求の範囲】
【請求項１】
ＲＩＰサーバが、印刷ファイルのＲＩＰ演算を行い、各表面色のページデータを取得し、前記各表面色のページデータを各表面色の再利用可能データとバリアブルデータに分解するステップ（１）と、
ＲＩＰサーバが、前記各表面色の再利用可能データとバリアブルデータをＰＣＩｅ×４データパスまたは１０Ｇｂｉｔｓネットワークにより、各表面色コントローラへ伝送する前記各表面色のページデータを規定のフォーマットに従い、各表面色コントローラへ伝送するステップ（２）と、
各表面色コントローラが、前記各表面色の再利用可能データとバリアブルデータを受信後、ページデータ演算に基づき、完全なページ印刷データを生成するステップ（３）と、
各表面色コントローラが、表面色に対応するハードウェアコントロールモジュールへ前記ページ印刷データを伝送するステップ（４）と、
各表面色のハードェアコントロールモジュールが、ページ印刷データを印刷するステップ（５）と、を備えることを特徴とする分散型のバリアブルデータを支援するインクジェットデジタル印刷方法。
【請求項２】
前記ＲＩＰサーバは、データを伝送する前に、データの圧縮演算を行うことを特徴とする請求項１に記載の分散型のバリアブルデータを支援するインクジェットデジタル印刷方法。  
【請求項３】
前記表面色コントローラは、受信したデータの解凍圧縮演算を行い再利用可能データとバリアブルデータを取得し、再利用可能データとバリアブルデータを１つに結合後、ページ印刷データを算出して、ページ印刷データを表面色に対応するハードウェアコントロールモジュールへ送信することを特徴とする請求項２に記載の分散型のバリアブルデータを支援するインクジェットデジタル印刷方法。  
【請求項４】
前記表面色コントローラは、受信したページデータをローカルハードディスクに一時保存する印刷過程において、ローカルハードディスクからのページデータ読み取りは、ページデータ演算に基づき、ページ印刷データを生成し、表面色に対応するハードウェアコントロールモジュールへ送信することを特徴とする請求項１〜３のいずれか１つに記載の分散型のバリアブルデータを支援するインクジェットデジタル印刷方法。  
【請求項５】
別のサーバをシステムコントローラとし、前記システムコントローラはＳｏｃｋｅｔネットワーク通信により、ＲＩＰサーバと表面色コントローラの作業フローをコントロールすることを特徴とする請求項１〜３のいずれか1項に記載の分散型のバリアブルデータを支援するインクジェットデジタル印刷方法。  
【請求項６】
分散型のバリアブルデータを支援するインクジェットデジタル印刷システムであって、
前記システムは、各印刷表面色に設定した表面色コントローラ、各表面色コントローラと連結する表面色に対応するハードウェアコントロールモジュールおよび各表面色コントローラと連結するＲＩＰサーバを備え、  
前記表面色コントローラと連結する前記ＲＩＰサーバは、印刷ファイルのＲＩＰ演算を行い、各表面色のページデータを取得して、前記各表面色のページデータに従い、規定のフォーマット各表面色コントローラへ伝送し、  
各印刷表面色に設定した前記表面色コントローラは、前記ページデータを受信後、ページデータ演算に基づき、完全なページ印刷データを生成し、表面色に対応するハードウェアコントロールモジュールへ前記ページ印刷データを伝送し、
前記各表面色のハードェアコントロールモジュールは、ページ印刷データを印刷し、
前記ＲＩＰサーバと表面色コントローラ間において、高速データパスにより印刷データを転送し、前記高速データパスは１０Ｇｂｉｔネットワークを備え、
前記ＲＩＰサーバにおいて、
ＰＣＩｅ×４データ送信モジュールと、
ページデータを再利用可能データとバリアブルデータに分解し、ＲＩＰサーバは、再利用可能データをわずか１度のみ転送するが、バリアブルデータは各ページを全て転送するデータ分解モジュールと、を設置し、
各表面色コントローラにおいて、
ＰＣＩｅ×４データ受信モジュールと、
すでに受信した再利用可能データとバリアブルデータを完全なページデータに結合するデータ合併モジュールと、を設置し、
前記ＲＩＰサーバは、前記各表面色のページデータをＰＣＩｅ×４データ送信モジュールにより、各表面色コントローラへ送信し、各表面色コントローラはそれぞれ自身のＰＣＩｅ×４データ受信モジュールにより、本表面色のページデータを受信することを特徴とする分散型のバリアブルデータを支援するインクジェットデジタル印刷システム。  
【請求項７】
前記ＲＩＰサーバに圧縮モジュールを設置し、
前記圧縮モジュールは、ＲＩＰサーバにデータを伝送する前に、データの圧縮演算を行い、  
各表面色コントローラに受信したデータの解凍圧縮演算を行う対応の解凍圧縮モジュールを設置することを特徴とする請求項６に記載の分散型のバリアブルデータを支援するインクジェットデジタル印刷システム。  
【請求項８】
別のサーバをシステムコントローラとして設置し、前記システムコントローラは、Ｓｏｃｋｅｔネットワーク通信ＲＩＰサーバと表面色コントローラの作業フローによりコントロールすることを特徴とする請求項６または請求項７に記載の分散型のバリアブルデータを支援するインクジェットデジタル印刷システム。  
【請求項９】
システムコントローラはＳｏｃｋｅｔモジュールを備え、ＲＩＰサーバはＳｏｃｋｅｔモジュールを備え、各表面色コントローラはそれぞれＳｏｃｋｅｔモジュールを備え、  
スイッチャー（Ｓｗｉｔｃｈ）を別に設置することにより、各Ｓｏｃｋｅｔモジュールを連結させ、システムコントローラＲＩＰサーバ、各表面色コントローラとＳｏｃｋｅｔ通信を行うことにより、ＲＩＰサーバと各表面色コントローラの状態情報を獲得し、ＲＩＰサーバと各表面色コントローラへコントロール命令を送信し、同時に、ユーザーもシステムコントローラからシステム全体の作業状態を取得でき、システム全体をコントロールできることを特徴とする請求項８に記載の分散型のバリアブルデータを支援するインクジェットデジタル印刷システム。
【発明の詳細な説明】
【技術分野】
【０００１】
本出願は、２０１１年１２月３０日に中国特許局に提出し、出願番号が２０１１１０４５７６７４．０であり、発明名称が「分散型のバリアブルデータを支援するインクジェットデジタル印刷およびシステム」である中国特許出願を基礎とする優先権を主張し、その開示の総てをここに取り込む。
本発明はデジタル印刷技術分野に関し、特に分散型のバリアブルデータを支援するインクジェットデジタル印刷方法およびシステムに関する。
【背景技術】
【０００２】
デジタル印刷は近年急速に発展した印刷技術であり、データを直接伝送、処理、印刷する方式を用いる。即ち、現像データを一度に入力し、コントロールシステムにより、現像コンポーネントの直接現像をコントロールする。一般的に使用するオンデマンド型インクジェット印刷のデジタル印刷設備については、コントロールシステムのコントロール下において、被印刷体（例、紙）の表面が予定位置までに移動した場合、現像コンポーネントノズルにおける圧電性結晶により生じされたパルスで、インクを圧出し、被印刷体（例、紙）の表面へ霧状インクを直接噴射し、現像する。  
【０００３】
デジタル印刷技術において、ラスターイメージプロセッサ（Ｒａｓｔｅｒ  Ｉｍａｇｅ  Ｐｒｏｃｅｓｓｏｒ，ＲＩＰ）により印刷ファイル（例、ＰｏｓｔＳｃｒｉｐｔまたはＰＤＦファイル）をラスター化処理し、ノズルの印刷のためのラスター化ドットマトリクスを行わなければならない。カラーデジタルプリンターにおいて、さらにＲＩＰにより複数の表面色の異なるラスター化ドットマトリクスを算出し、これらドットマトリクスを表面色の表面色コントロールモジュールへ伝送しなければならない。これにより、各表面色に印刷する。印刷ファイルにおける毎ページは全て必ずラスター化処理し、対応する印刷ドットマトリクスを生成しなければならない。  
【０００４】
デジタル印刷技術が直面している主な課題は、絶えずプリンターの印刷速度を高めなければいけないことである。比較的多い要素は、ＲＩＰの処理速度、データの複数コントロールモジュール間における伝送速度、ハードディスクから印刷データを読み取る速度および各コントロールモジュールの演算速度等を含むデジタルプリンターの印刷速度を制約する。米国特許番号がＵＳ２００６／０１２０７８７Ａ１であり、発明名称が「印刷システムにおけるイメージ処理方法（Ｉｍａｇｅ  Ｐｒｏｃｅｓｓｉｎｇ  Ｉｎ  Ｐｒｉｎｔｉｎｇ  Ｓｙｓｔｅｍ）」である特許において、複数のチャネルを利用し、並列演算によりＲＩＰ処理速度を高める方案を提案した。しかし、前述の特許はデータの複数コントロールモジュール間における伝送速度、ハードディスクから印刷データを読み取る速度および各コントロールモジュールの演算速度等をいかに高めるかについて言及していない。当該特許もバリアブルデータ印刷にどのような最適化があるかについて言及していない。しかし、バリアブルデータ印刷はデジタルプリンターの主要機能の１つである。
【発明の概要】
【発明が解決しようとする課題】
【０００５】
従来技術にある欠陥について、本発明の目的はデジタルプリンターの印刷速度を高める分散型のバリアブルデータを支援するインクジェットデジタル印刷およびシステムを提供することである。
【課題を解決するための手段】
【０００６】
上述の目的を達成するために、本発明に用いる技術方案は、分散型のバリアブルデータを支援するインクジェットデジタル印刷であり、以下のステップ（１）からステップ（５）を備える。
【０００７】
ステップ（１）において、ＲＩＰサーバは、印刷ファイルのＲＩＰ演算を行い、各表面色のページデータを取得する。
【０００８】
ステップ（２）において、ＲＩＰサーバは、前記各表面色のページデータを規定のフォーマットに従い、各表面色コントローラへ伝送する。
【０００９】
ステップ（３）において、各表面色コントローラが前記ページデータを受信後、前記ページデータ演算に基づき、完全なページ印刷データを生成する。
【００１０】
ステップ（４）において、各表面色コントローラは、表面色に対応するハードウェアコントロールモジュールへ前記ページ印刷データを伝送する。
【００１１】
ステップ（５）において、各表面色のハードェアコントロールモジュールは、ページ印刷データを印刷する。  
【００１２】
さらに、前記ＲＩＰサーバは、ページデータをＰＣＩｅ×４データパスまたは１０Ｇｂｉｔｓネットワークにより、各表面色コントローラへ伝送する。  
【００１３】
さらに、バリアブルデータ印刷については、前記ＲＩＰサーバは、ページデータを再利用可能データとバリアブルデータに分解する。  
【００１４】
さらに、前記ＲＩＰサーバは、データを伝送する前に、データの圧縮演算を行う。  
【００１５】
さらに、前記表面色コントローラは、受信したデータの解凍圧縮演算を行い再利用可能データとバリアブルデータを取得し、再利用可能データとバリアブルデータを１つに結合後、ページ印刷データを算出する。かつ、ページ印刷データを表面色に対応するハードウェアコントロールモジュールへ送信する。
【００１６】
さらに、前記表面色コントローラは、受信したページデータをローカルハードディスクに一時保存する。印刷過程において、ローカルハードディスクからのページデータ読み取りは、前記ページデータ演算に基づき、ページ印刷データを生成し、表面色に対応するハードウェアコントロールモジュールへ送信する。  
【００１７】
さらに、別のサーバをシステムコントローラとし、前記システムコントローラはＳｏｃｋｅｔネットワーク通信により、ＲＩＰサーバと表面色コントローラの作業フローをコントロールする。  
【００１８】
分散型のバリアブルデータを支援するインクジェットデジタル印刷システムは、各印刷表面色に設定した表面色コントローラ、各表面色コントローラと連結する表面色に対応するハードウェアコントロールモジュールおよび各表面色コントローラと連結するＲＩＰサーバを備える。  
【００１９】
ここで、各表面色コントローラと連結するＲＩＰサーバは、印刷ファイルのＲＩＰ演算を行い、各表面色のページデータを取得する。かつ、前記各表面色のページデータに従い、規定のフォーマット各表面色コントローラへ伝送する。
【００２０】
各印刷表面色に設定した表面色コントローラは、前記ページデータを受信後、前記ページデータ演算に基づき、完全なページ印刷データを生成する。表面色に対応するハードウェアコントロールモジュールへ前記ページ印刷データを伝送する。各表面色のハードェアコントロールモジュールは、ページ印刷データを印刷する。  
【００２１】
さらに、前記ＲＩＰサーバにおいてＰＣＩｅ×４データ送信モジュールを設置し、各表面色コントローラにおいて対応のＰＣＩｅ×４データ受信モジュールを設置する。  
【００２２】
前記ＲＩＰサーバは、前記各表面色のページデータをＰＣＩｅ×４データ送信モジュールにより、各表面色コントローラへ送信する。各表面色コントローラはそれぞれ自身のＰＣＩｅ×４データ受信モジュールにより、本表面色のページデータを受信する。
【００２３】
さらに、前記ＲＩＰサーバと表面色コントローラ間において、高速データパスにより印刷データを転送する。前記高速データパスは１０Ｇｂｉｔネットワークを備える。  
【００２４】
さらに、ＲＩＰサーバにデータ分解モジュールを設置する。前記データ分解モジュールは、ページデータを再利用可能データとバリアブルデータに分解する。ＲＩＰサーバは、再利用可能データをわずか１度のみ転送するが、バリアブルデータは各ページを全て転送する。
【００２５】
各表面色コントローラにデータ合併モジュールを設置する。前記データ合併モジュールは、すでに受信した再利用可能データとバリアブルデータを完全なページデータに結合する。  
【００２６】
さらに、前記ＲＩＰサーバに圧縮モジュールを設置する。前記圧縮モジュールは、ＲＩＰサーバにデータを伝送する前に、データの圧縮演算を行う。  
【００２７】
各表面色コントローラに受信したデータの解凍圧縮演算を行う対応の解凍圧縮モジュールを設置する。  
【００２８】
さらに、サーバをシステムコントローラとしてさらに設置する。前記システムコントローラは、Ｓｏｃｋｅｔネットワーク通信ＲＩＰサーバと表面色コントローラの作業フローによりコントロールする。  
【００２９】
また、システムコントローラはＳｏｃｋｅｔモジュールを備え、ＲＩＰサーバはＳｏｃｋｅｔモジュールを備え、各表面色コントローラはそれぞれＳｏｃｋｅｔモジュールを備える。  
【００３０】
スイッチャー（Ｓｗｉｔｃｈ）を別に設置することにより、各Ｓｏｃｋｅｔモジュールを連結させ、システムコントローラＲＩＰサーバ、各表面色コントローラとＳｏｃｋｅｔ通信を行うことにより、ＲＩＰサーバと各表面色コントローラの状態情報を獲得する。かつ、ＲＩＰサーバと各表面色コントローラへコントロール命令を送信する。同時に、ユーザーもシステムコントローラからシステム全体の作業状態を取得でき、システム全体をコントロールできる。  
【発明の効果】
【００３１】
本発明の效果は、本発明における前記の方法およびシステムを用いて、バリアブルデータ印刷のインクジェットデジタル印刷過程において、データのコントロールサーバ間における伝送速度を高め、ハードディスクからのデータを読み取る速度、各表面色ハードウェアコントロールモジュールのデータ演算および伝送速度を高めることである。
【図面の簡単な説明】
【００３２】
【図１】図１は、本発明に係る方法のフロー図である。
【図２】図２は、本発明に係るシステムアーキテクチャを示す図である。
【発明を実施するための形態】
【００３３】
以下に図面と具体的な実施形態を結合し、本発明の技術方案を詳細に記述する。  
【００３４】
本発明は、分散型のバリアブルデータを支援するインクジェットデジタル印刷方法およびシステムを提供する。  
【００３５】
図１は、本発明に係る分散型のバリアブルデータを支援するインクジェットデジタル印刷であり、以下のステップ（１）からステップ（５）を備える。
【００３６】
ステップ（１）において、ＲＩＰサーバは、印刷ファイルのＲＩＰ演算を行い、各表面色のページデータを取得する。  
【００３７】
ステップ（２）において、ＲＩＰサーバは、前記各表面色のページデータを規定のフォーマットに従い、各表面色コントローラへ伝送する。
【００３８】
（３）各表面色コントローラが前記ページデータを受信後、前記ページデータ演算に基づき、完全なページ印刷データを生成する。  
【００３９】
（４）各表面色コントローラは、表面色に対応するハードウェアコントロールモジュールへ前記ページ印刷データを伝送する。
【００４０】
（５）各表面色のハードェアコントロールモジュールは、ページ印刷データを印刷する。  
【００４１】
本実施形態において、前記ＲＩＰサーバは、ページデータをＰＣＩｅ×４データパスまたは１０Ｇｂｉｔｓネットワークにより、各表面色コントローラへ伝送する。バリアブルデータ印刷について、前記ＲＩＰサーバは、ページデータを再利用可能データとバリアブルデータに分解する。前記ＲＩＰサーバは、データを伝送する前に、データの圧縮演算を行う。前記表面色コントローラは、受信したデータの解凍圧縮演算を行い、再利用可能データとバリアブルデータを取得し、再利用可能データとバリアブルデータを１つに結合後、ページ印刷データを算出する。かつ、ページ印刷データを表面色に対応するハードウェアコントロールモジュールへ送信する。前記表面色コントローラは、受信したページデータをローカルハードディスクに一時保存する。印刷過程において、ローカルハードディスクからのページデータ読み取り、前記ページデータ演算に基づき、ページ印刷データを生成し、表面色に対応するハードウェアコントロールモジュールへ送信する。さらに別のサーバをシステムコントローラとし、前記システムコントローラは、Ｓｏｃｋｅｔネットワーク通信ＲＩＰサーバと表面色コントローラの作業フローによりコントロールする。  
【００４２】
さらに、本実施形態は分散型のバリアブルデータを支援するインクジェットデジタル印刷システムを提供する。前記システムは、各印刷表面色に設定した表面色コントローラ、各表面色コントローラと連結する表面色に対応するハードウェアコントロールモジュールおよび各表面色コントローラと連結するＲＩＰサーバを備える。  
【００４３】
ここで、各表面色コントローラと連結するＲＩＰサーバは、印刷ファイルのＲＩＰ演算を行い、各表面色のページデータを取得する。かつ、前記各表面色のページデータに従い、規定のフォーマット各表面色コントローラへ伝送する。
【００４４】
各印刷表面色に設定した表面色コントローラは、前記ページデータを受信後、前記ページデータ演算に基づき、完全なページ印刷データを生成し、表面色に対応するハードウェアコントロールモジュールへ前記ページ印刷データを伝送する。
【００４５】
各表面色のハードェアコントロールモジュールは、ページ印刷データを印刷する。  
【００４６】
図２は、デジタルプリンターが同時に印刷しなければならない可能性のある複数の表面色である。４色プリンターを例に挙げると、当該プリンターには４つの印刷しなければならない表面色：シアン（Ｃｙａｎ）、マジェンタ（Ｍａｇｅｎｔａ）、イエロー（Ｙｅｌｌｏｗ）、ブラック（Ｂｌａｃｋ  ）がある。各表面色にサーバを１台設置し、表面色コントローラ（Ｐａｎｅ  Ｃｏｎｔｒｏｌｌｅｒ）（図２においてそれぞれ１、２、３、４と標識する）と称する。各表面色コントローラ（１、２、３、４）と表面色に対応するハードウェアコントロールモジュールは連結し、専ら当該表面にページ印刷データを演算かつ伝送する。表面色コントローラ（１、２、３、４）とハードウェアコントロールモジュールのインターフェースは、各表面色ハードウェアコントロールモジュールのインターフェースの要求に合致する。サーバ（５）は、印刷ファイルのＲＩＰ演算を行い、ＲＩＰサーバ（５）と称する。ＲＩＰサーバ（５）は、各ページのラスター印刷データを４表面色に分け、各表面色のページデータを各表面色コントローラ（１、２、３、４）へ転送し、さらに各表面色コントローラ（１、２、３、４）により算出した対応のページ印刷データを表面色に対応するハードウェアコントロールモジュールへ転送する。  
【００４７】
本発明の実施形態を実行し易くするため、ＲＩＰサーバ（５）は、ページデータを表面色コントローラ（１、２、３、４）へ転送し、ＲＩＰサーバ（５）にＰＣＩｅ×４データ送信モジュール（５０２）を追加でき、表面色コントローラ（１、２、３、４）にＰＣＩｅ×４データ受信モジュール（１０２、２０２、３０２、４０２）を追加できる。ＲＩＰサーバ（５）は、ＲＩＰが生成した各表面色のページデータをＰＣＩｅ×４データ送信モジュール５０２）により、（各表面色コントローラ（１、２、３、４）へ送信する。各表面色コントローラ（１、２、３、４）は、ＰＣＩｅ×４データ受信モジュール（１０２、２０２、３０２、４０２）により、本表面色のページデータを受信する。ＰＣＩｅ×４データパス以外に、ＲＩＰサーバ（５）と表面色コントローラ（１、２、３、４）間では、１０Ｇｂｉｔネットワーク等の高速データパスにより、ページデータをさらに転送する。  
【００４８】
デジタルプリンターの重要な機能は、バリアブルデータを支援する方法である。バリアブルデータ印刷において、ページデータは、再利用可能データとバリアブルデータを備える。いわゆる再利用可能データは、複数の異なるページにおいて重複して使用する印刷データである。いわゆるバリアブルデータは、あるページにおいてのみ単独で使用される印刷データである。当然、ＲＩＰサーバ（５）と表面色コントローラ（１、２、３、４）において、再利用可能データは一度のみ転送すればよいが、各ページが独自に所有するバリアブルデータは各ページ全てを転送しなければならない。よって、ＲＩＰサーバ（５）は、ページデータを再利用可能データとバリアブルデータに分解でき、再利用可能データを一度のみ転送し、バリアブルデータは各ページを全て転送する。このような実行方法は、ＲＩＰサーバ（５）と各表面色コントローラ（１、２、３、４）間におけるデータ伝送量を効果的に減らす。具体的に、ページデータの再利用可能データとバリアブルデータへの分解は、ＲＩＰサーバにおいて設置したデータ分解モジュールにより実現できる。この時、各表面色コントローラにデータ合併モジュールを設置できる。前記データ合併モジュールは、すでに受信した再利用可能データとバリアブルデータを完全なページデータに結合する。  
【００４９】
ＲＩＰサーバ（５）と各表面色コントローラ（１、２、３、４）間におけるデータ伝送量を減らすため、ＲＩＰサーバ（５）は、データを伝送する前に、データの圧縮演算を行い、表面色コントローラ（１、２、３、４）へ圧縮後のデータをさらに転送できる。具体的に、ＲＩＰサーバにデータを伝送する前のデータの圧縮演算は、ＲＩＰサーバ（５）において設置した圧縮モジュールにより実現できる。この時、各表面色コントローラに対応の解凍圧縮モジュールを設置できる。前記解凍圧縮モジュールは、受信したデータの解凍圧縮演算を行う。  
【００５０】
表面色コントローラ（１、２、３、４）は、受信したデータの解凍圧縮演算を行い、すでに受信した再利用可能データとバリアブルデータを完全なページデータに結合する。前記ページデータに基づき、ページ印刷データを生成し、各表面色のハードェアコントロールモジュールへ送信する。表面色コントローラ（１、２、３、４）は、受信した未解凍圧縮のデータをサーバローカルハードディスクにさらに保存できる。印刷が必要な場合には、ローカルハードディスクから圧縮データを読み取り、データを解凍圧縮し、再利用可能データとバリアブルデータを完全なページデータに結合後、前記ページデータに基づき、ページ印刷データを生成し、各表面色のハードェアコントロールモジュールを送信できる。印刷データ区をバリアブルデータと再利用可能データに分け、圧縮後にストレージでき、データストレージ量を大幅に減らすことができる。ハードディスクからの全ページのラスター化データ読み取りはデータ読み取り時間を効果的に減らすことができる。  
【００５１】
サーバをシステムコントローラ（Ｓｙｓｔｅｍ  Ｃｏｎｔｒｏｌｌｅｒ）（６）とすることにより、データ伝送と印刷フローは効果的な管理とコントロールを行うことができる。システムコントローラ（６）にＳｏｃｋｅｔモジュール（６０１）を備え、ＲＩＰサーバにＳｏｃｋｅｔモジュール（５０１）を備え、各表面色コントローラにＳｏｃｋｅｔモジュール（１０１、２０１、３０１、４０１）を備える。別のスイッチャー（Ｓｗｉｔｃｈ）（７）により、各サーバのＳｏｃｋｅｔモジュールを連結する。システムコントローラ（６）は、ＲＩＰサーバ（５）と各表面色コントローラ（１、２、３、４）がＳｏｃｋｅｔ通信を行うことにより、各サーバの状態情報を獲得し、各サーバへコントロール命令を送信する。同時に、ユーザーもシステムコントローラ（６）によりシステム全体の作業状態を取得し、システム全体をコントロールできる。  
【００５２】
本発明の実施形態において、分散型のバリアブルデータを支援するインクジェットデジタル印刷方法およびシステムを提供する。本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【００５３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００５４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。  
【００５５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００５６】
上述した実施形態に記述された技術的な解決手段を改造し、或いはその中の一部の技術要素を置換することもできる。そのような、改造と置換は本発明の各実施形態の技術の範囲から逸脱するとは見なされない。
【００５７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。  
【図１】
0005748910.tif 000002
【図２】
0005748910.tif 000003